【手続補正書】
【提出日】平成24年2月10日(2012.2.10)
【手続補正１】
【補正対象書類名】明細書
【補正対象項目名】０００６
【補正方法】変更
【補正の内容】
【０００６】
種々の装置が、この目的のために関連する熱流動原理に従って着想されてきたが、それらの現実の実施は、実際には不明瞭かまたは扱いにくいままである。この状況において、重い組み立て費用と、装置の導入に係る労力に妨げられ、熱エネルギー保存の利益は、一般的に取り入れないままである。
【手続補正２】
【補正対象書類名】明細書
【補正対象項目名】００１７
【補正方法】変更
【補正の内容】
【００１７】
本発明は、独立請求項に提示される。種々の任意の特徴は、従属請求項に提示される。請求項１、２および３２のそれぞれに特定される特徴は、第１導管を通る滑らかで適切な流体の流れを可能にするという点で非常に有利である。これは、第１導管を通る流れが重力駆動の圧力水頭による場合のような、種々の状況で有利である。これらの請求項の状況における幅は、流前線に沿うかまたは横切る合計距離であるとみなすことができ、それは、任意に選択された特定の割合のその入口から出口まで第１導管を横切る距離である。例えば、円形の実施形態において、流前線は、円柱状とみなされ、その幅は、この円柱形を平坦な平面上で展開する、または投影することによって予測されうる。
請求項１に記載の反比例または比例の関係に関して、疑念を回避するため、これらの関係は、まったくの線形関係である必要はなく、多くの場合はそうではないだろう。実際、ある場合または位置での相関関係は、無意味なほどに比較的軽微、または明白ではなく、取るに足りないものして無視できるだろう。
第１導管内部の閉じた流面積の高さは、第２導管の区間が円形、楕円形、菱形または魚鱗形である場合などの、多くの場合に第１導管を通る流路が第２導管の区間に直面するときに、実質的に増加するだろう。しかしながら、第２導管の区間が十分に近い間隔であいており、その間の隙間が存在しない、または流れの効果に重要な役割を果たさない程度に十分小さく、水平に細長いソーセージ形またはほぼ長方形の区分である場合など、これが当てはまらない場合もある。第１導管内部の閉じた流面積は、その中の第２導管の物理的存在のために第１導管内の流体に対して閉じた面積を含む。
【手続補正３】
【補正対象書類名】明細書
【補正対象項目名】００１９
【補正方法】変更
【補正の内容】
【００１９】
第１導管の中に封入された第２導管の外表面は、第１流体と接しており、かつたとえ断続的であってもその通路を辿るので、第１流体導管の内部部分を構成するとみなすことができる。
【手続補正４】
【補正対象書類名】明細書
【補正対象項目名】００２０
【補正方法】変更
【補正の内容】
【００２０】
ここに開示する発明の最も重要な成果は、高い／最適な熱交換効率を損なうことのない、第１流体流に対する最小の全体抵抗であり、それは第２流体の熱交換管区間の配置を横切る、第１流体流路のいたるところで局所的な流れの抗力を均等化することにより達成される。流体力学的抵抗が、流体の速度と通過する境界表面の面積の両方に比例することが知られている。そこで、ＨＸＤを通る第１流体流路のいたるところで流れに対する一定の／一貫した抵抗を維持すると、ここで提唱されているように（本発明の状況下で）この開いた流面積の高さ／厚さが均一であり、開いた流面積の幅と比較して／に関して小さい、または一般にわずかであるとすれば、流体の流速と相関する（逆に）開いた流面積（すなわち、流前線により決定された流体本体の区間の面積）と、この面積の周囲長および抗力をかける通過表面の量とほぼ十分に相関する開いた流面積の幅（および高さ）との間の関係を発見するだろう。
したがって、ここでは、第１導管の幅とその高さとの間には一貫した関係がある。ここで考えられる先行技術のＨＸＤの種類には、この関係への適合が一般的に欠如しており、適合（または逸脱）の程度は場合によって変わるが、いかなる程度の適合も他の因子または理由に対する偶然の結果であり、ここで考えられる応用の状況下でのＨＸＤの導管の成形において、この関係との適合を高める／改善する証明された手段の証拠が顕著に欠如している。
それゆえ、本発明は、以下に説明するこれらの寸法の考察にしたがって、より適切に導管表面を形成することにより、上記の関係の固守を高める／改善する手段を請求する。
ＨＸＤの種々の実施形態で実施されうる、本発明の実施形態の２つの普遍的な領域があり、それは以下に関する：
１．ＨＸＤの全体的状況、および全体として第２導管区間の配置の通路にわたって導管の幅と関係がある第１導管の高さにおける変化と、
２．個々の第２導管区間の局所的状況、および第２導管の隣接区間に隣接するか、ＨＸＤケーシングの第１流体伝導表面によって画定されるとおりの第１流体の本体の外部境界に隣接する第２導管の各々の区間を囲む第１流体の高さ（または厚さ）。
【手続補正５】
【補正対象書類名】明細書
【補正対象項目名】００７０
【補正方法】変更
【補正の内容】
【００７０】
出口手段は、付加的にまたは代わりに、熱伝導性導管の第１区間の長さに隣接する、水平方向に平坦なオーバーフローリムまたは一連の開口部を有する排水収集チャネルから成る。これにより、より釣り合いのとれた均一に分配された流体層の中への流体流が生み出されうる。
【手続補正６】
【補正対象書類名】明細書
【補正対象項目名】００８８
【補正方法】変更
【補正の内容】
【００８８】
本発明による実施形態は、流体が熱伝導性導管の区間の周りおよび間を横切る際、局所的な流速および流れに対する抵抗（隣接する導管表面の形態および間隔によってもたらされる）の変動を有利に減少させ、相殺し、または補うため、１つ以上の局所的な、側方の、または優先的に配置された入口または出口を提供されうる。これは、組み合わせられた配置で並べられたときに、隣接する（組み合わせられた）導管区間との分離の一貫した均一な間隙を与える横断面形態（例えば、菱形／ダイアモンド型または「魚鱗形態」）を有する管状導管を使用することにより達成できる。熱伝導性導管の周りを囲む導管は、熱伝導性導管区間の外側表面を囲む流体の本体の厚さの局所的な変動を減少させるまたは相殺するよう配置される輪郭表面を備えうる。これにより、熱伝導性管状導管がいつも受けやすい内部圧力を有利に制限することができる。これはまた、特に装置を通る流れを制御するために体重により作動するチェックバルブが使用されるときに、水の保全および操作上の利便性を促進する。
【手続補正７】
【補正対象書類名】明細書
【補正対象項目名】０１０４
【補正方法】変更
【補正の内容】
【０１０４】
熱伝導性導管の隣接する区間と層間導管区間スペーシングとの間の、外囲導管表面および層内スペーシングのオフセット距離は、異なる実施形態において変わりうる。
【手続補正８】
【補正対象書類名】明細書
【補正対象項目名】０１２３
【補正方法】変更
【補正の内容】
【０１２３】
第２導管５への配管接続５ｄ、５ｅは、第１導管より上に位置しており、熱交換導管５およびオーバーフローリム１３により低い位置を与え、それにより排水流体がより大きな圧力水頭で限られたケーシング高さの中を流れるのを可能にする。新鮮な水の供給装置２７および温められた水の出口２８は、境界線で蓋基部の接合点の近くの素早くフィットするねじ状のアタッチメントポイント２７ｂ、２８ｂを備える蓋２７ａ、２８ａの中に組み込まれた導管の区間を通過する。特別なねじ装置５ｄ、５ｅ（六角形の六角レンチ／スロット５ｈ、５ｉを備える）は、回旋状ＨＸ導管５の垂直に折り返された末端５ｊ、５ｋを、定位置にＯリングシールを保持しかつそこを通って流体が流れる、蓋３の中の空洞５ｌに接続するために用いられる。同中心の入口フィルター２０は、内旋の円錐の形状を有しており、そうしなければＨＸＤの中で止まってしまう屑を濾過して取り除き、管状入口区間２０ｂと接触した傾斜したリム２２ａを備え、補助入口１０５からの流体が濾過されるのも可能にする。補助入口１０５は、他のサニタリーフィーチャー（例えばボウル、ビデ）またはシャワーパンの排水開口部／排出孔と接続することができ、これは中心ではないだろう。
【手続補正９】
【補正対象書類名】明細書
【補正対象項目名】０１２８
【補正方法】変更
【補正の内容】
【０１２８】
図５および図６は、熱交換導管５の長方形の回旋配置を示しており、これによって、第２流体がまずコイルの内側のアタッチメント２７に供給され、次いで回旋状導管５に遠心性に沿って、隅のアタッチメント２８に供給され、そこで加熱器具またはシャワーヘッドを直接供給する。シャワーヘッドの下で収集された廃水は、長方形の溝１６を通って熱交換器１の周辺より上にあるペーブメント４５の中を流れ、熱交換コイル５を横切って、その周りを、その中間に、外側から中心に向かって概して内向きにまたは放射状に流れ、そこで水平方向のオーバーフローリム［１３］を通った後で収集される。
【手続補正１０】
【補正対象書類名】明細書
【補正対象項目名】０１３１
【補正方法】変更
【補正の内容】
【０１３１】
ここでの蓋３は、２つの構成要素から作られている：その構成要素とは、熱交換導管の上を通って排流体を伝導するための表面を提供する下部３ａ’’；および、セラミック床用にコンクリート下層を含み、それによって排水を補助開口部［１０８］を通って主な収集をする周辺入口チャネル［１０４］の中へ運び分配する、木製の厚板など（以下参照、図１０／１１）を備えた、代替の床の下に排水表面を提供する、断熱層３ｃを覆う上部３ｂ’’である。長方形の形態は、第２導管５および最大熱交換表面積に役立つ空間を十分利用する一方で、より長いオーバーフローリム１３を備える中心１’においてボトルネック効果を有利に減少させる。上部蓋構成要素３ｂ’’は、また、捕捉された空気を下部蓋表面３ｃの下から通気孔［５３］と蓋おおび上面中心の毛細管［５４］を経由して放出するための限られた空気の運動も可能にする。
【手続補正１１】
【補正対象書類名】明細書
【補正対象項目名】０１３２
【補正方法】変更
【補正の内容】
【０１３２】
側面と端の４分の１区との間のより釣り合いのとれた排流体の分配を維持するために、管案内突起６および挿入されたスペーサー床張り板［７］の位置および配向がここでは重要である。
【手続補正１２】
【補正対象書類名】明細書
【補正対象項目名】０１３５
【補正方法】変更
【補正の内容】
【０１３５】
図８および図９は、好ましい実施形態の４分の１の八角形側面のコイル状に湾曲したら
せん状ＨＸＤと同様の原理を示しており、それは、比較的に三角形の形態をしたオープンコーナーシャワーパン１００’である。シャワー廃水は、収集され、頂端２’の近くの従来の排水孔１６’を通りぬけ、流れを均等にする穿孔した壁［１０８］および水平方向に平坦なオーバーフローリム［１３］を通りぬける前に、最後の導管区間５’’に隣接する周辺の収集チャネル［２３］に到達するまで、層としてループ状の熱交換導管区間５の配置を横切って流れる。
【手続補正１３】
【補正対象書類名】明細書
【補正対象項目名】０１５４
【補正方法】変更
【補正の内容】
【０１５４】
遠心性配置（図１〜図４）において、排液は、第２流体導管層の水平方向の平面への中央流路の下へ、蓋の開口部を通って装置に入り、周辺部のオーバーフローリム［１３］に達するまで、第２流体導管［５］の下および中間で、全水平方向に放射状に分散する。この水平方向に平坦なオーバーフローリムは、熱交換コイルの全区間を横切る排液の均一に分配された放射方の流れの維持に必須であり、いったん通り過ぎると、排液は、隣接する周辺の側溝［２３］に収集され、外部の排液と一体になる場所［２４］、汚水または排水収集システムに運ばれうる。水およびその表面は、周囲リムとのそれほど密接した接触を必要とせず、最小の厚さの層として通るので、周囲リムの水平さは、あまり重大な影響をもたらさないが、周辺の長さを横切るむらのない流れの分配は、求心性排水配置（図５および図６）において同様に重要である。周辺排水開口部配置は、それが使用者にシャワーの下でより姿勢の自由を与えるだけではなく、中央バルブ位置が使用していないときの熱交換導管配置からの圧力を軽減するので、足−体重で作動するバルブを組み込むのにより適している。
【手続補正１４】
【補正対象書類名】明細書
【補正対象項目名】０１７１
【補正方法】変更
【補正の内容】
【０１７１】
１１．隆起および／または突起
第１導管表面が側方に広く伸長するにつれて、その形態は、変形または歪みをより受けやすくなり、その構造は、圧縮耐性または外部の力もしくは上からの重量負荷に強固に耐える能力を失う。ひずみなく、第２導管の層を通してこのような重量負荷を伝え、第１流体の含有表面に関して正確な位置に重量負荷を保持し、第２流体導管の熱交換表面全体の周りを第１流体が通過するための適切な大きさの溝を維持するための構造的手段が必要である。
【手続補正１５】
【補正対象書類名】明細書
【補正対象項目名】０２０７
【補正方法】変更
【補正の内容】
【０２０７】
正方形の回旋状配置（例えば、図５および図６または図１９）において、圧縮された介在性空間および増加した流速の両方が第１流体にカウンター効果を与える追加的抗力を招くが、第１流体は、対角線方向により速く流れてまっすぐな側面に従わなければならない。したがって、管状第２導管は、側面の４つの基本方向において次第に押されて楕円形の形態にされ、それによって楕円の主軸は水平方向となり、また同様に、４つの対角線方向においては逆に楕円の主軸は垂直となる。
【手続補正１６】
【補正対象書類名】明細書
【補正対象項目名】０２１３
【補正方法】変更
【補正の内容】
【０２１３】
フローフェンス、突起、隆起および導管の輪郭ならびに局所的に形成されたリブおよび深い溝は、全て、伝熱の全体的な効率ならびに流体流に対する全体的な抵抗／抗力に重要な影響をもつ、熱交換表面周りの流体流の分配および方向に影響し、このような特徴を、その中に含まれる第２流体導管配置の全体的な形態に影響するので、全体として装置の外側の形態の変化を建設的に補うのに用いることができる。最適な解決策／配置は、熱交換表面の全部分にわたって均一に分配された流線に沿った均一な流れの分配および釣り合いのとれた流体力学的抵抗である。
【手続補正１７】
【補正対象書類名】明細書
【補正対象項目名】０２１４
【補正方法】変更
【補正の内容】
【０２１４】
９．フローフェンス
任意の不均一な配管配置（図７／８に説明するような）に適用できる、わずかな流体力学的コストで全ての第２導管の熱交換表面積にわたる流れの均一な分配を確保する、または高めるための追加的な手段は、その所望の伝熱の最適な性能をもたらす、排流体の意図した自然な流線と一直線に並んだフィン［１４］もしくはフェンシング、またはフローバリアを備えることであろう。
【手続補正１８】
【補正対象書類名】明細書
【補正対象項目名】０２５２
【補正方法】変更
【補正の内容】
【０２５２】
不正確な水平配列の流れの不釣合いの傾向を弱めるため、オーバーフローリムの縁は、垂直方向に、水の凝集の影響を食い止め、制限する断続的なカッティングもしくは任意のある方向への過度に自由な流れに耐える歯をもつ刻み目または繰り返しの抑制パターンを備えるよう形成されうる。実際、周辺のリム表面の長さは、関係する操作上の流量にとっては極めて過剰であるので、それは好ましくは、リムの縁における材料に適する防水特性をもたない、周辺中が共通の水平面にある一続きの標準の大きさが適度に小さい孔およびスペーシングとしてうまく構成され、それは、もし必要であれば適切な表面処理によって達成することができる。
【手続補正１９】
【補正対象書類名】明細書
【補正対象項目名】０２８０
【補正方法】変更
【補正の内容】
【０２８０】
１              ＨＸＤケーシングおよび装置
１’            中心
２              ＨＸＤケーシング基部
２’            頂点
３              ＨＸＤケーシング蓋
３ａ’          リム
３ｂ            溝
３ａ’’          下部蓋構成要素
３ｂ’’          上部蓋構成要素
３ｃ            断熱層
３’’’          上部表面
３’’’’          上部蓋表面
４              低摩擦‐接着内張り
５              より高い流圧の熱媒体（一般的には新鮮な／冷たい水）を伝導する管
５ａ            凸形部分
５ｂ            凹形部分
５ｃ            ポイント
５ｄ            入口アタッチメント
５ｅ            出口アタッチメント
５ｆ            ケーシングの中心
５ｇ            周辺
５ｈ、５ｉ      六角レンチスロット
５ｊ、５ｋ      垂直方向に折り返された端部
５ｌ            空洞
５’’            最後の導管区間
５’’’’          ループ曲線
６              放射状リブ
７              放射状床張り板
８              並列配列を安定させるフィーチャー
９              凹形隆起
１０            ケーシング中心（回転の中心）
１１            より低い流圧の熱媒体の流れを流す間隙
１２            アンダーフローリム（ＨＸＤの上流）
１３            オーバーフローリム（ＨＸＤの下流）
１４            フローフィン
１５            フローフェンシング
１６            収集導管
１６’          排水表面
１６’’          下部端部
１７            挿入‐保持または空気シーリングリップ
１８            ガスケット
１９            アンダーフローリム延長
２０            フィルター
２０ａ          空間
２０ｂ          管状入口区間
２１            排水孔カバー
２１ａ          穿孔した壁
２２            アンダーフローリム
２２ａ          傾斜したリム
２３            廃水収集チャネルまたは容器
２４            廃水または第１流体熱媒体用の外部に接続された出口
２５            重量を移す構造的段
２６            断熱材
２７            新鮮な水または第１流体の入口用の配管接続
２７ａ、２８ａ  蓋の中の導管
２７ｂ、２８ｂ  アタッチメントポイント
２８            温められた新鮮な水／第１流体の出口用の配管接続
２９            水密封装置
３０            排水孔カバー位置保持ばね
３１            排水孔カバーロッド
３２            フィルター保持ロッド案内構造
３３            ローラー
３４            支持押レバー
３５            バルブ開口押レバー
３６            バルブ開口ロッド
３６ａ          円形ノッチ
３６ｂ          ハウジング
３７            フローストッパーボール
３８            管コネクター用配管接続
３９            バルブ状態保持ばね
４０            防水シーリングリング
４１            セラミックの水を分散する円形フロアプレート
４２            セラミックの尻リブ
４３            圧縮性ゴム製固定ストリップ
４４            セラミックのオーバーハンギングリップ
４５            周辺の廃水収集用のセラミックボウル周辺
４６            引張弦
４７            弦の取り付けおよび引っ張りのためのＵ形装置
４８            バルブ開口ケーブル
４９            水平滑車
５０            ケーブル伝導開口部
５１            垂直滑車
５２            バルブ作動引レバー
５３            通気孔
５４            エアダクト
５５            排水孔
５６            直接排水バイパス導管
５７            排水バイパスプラグ
５８            周辺流垂直平衡装置リム
５９            セメント分割スカーティング
６０            温度自動調節バルブ
６１            良断熱管
６２            自閉式押ボタンバルブ
１００’        コーナーシャワーパン
１０１          圧力を加えられた冷たい新鮮な水の供給装置
１０２          温かい新鮮な水の出口
１０３          沈殿物収集表面
１０４          排水入口分散側溝
１０５          補助入口開口部
１０６          代替の廃水出口
１０７          ねじ締め孔
１０８          流れを分配する穿孔した表面（代替の入口開口部）
１０９          空気を密封する水のブリッジ
１１０          端部ブロック
１１１          代替の排流体収集表面
１１１’        スラット
１１１’’        横木
２１０          排水オーバーフロー入口
２１１          ローラーホイール
２１２          旋回アーム
２１３          プッシュポイント
２１４          ばね
２１５          保護されたピストンヘッド
２１６          モーター
２１７          ドラム‐シリンダー型ファン
２１８          ファンの羽根
２１９          天井／壁表面
２２０          加熱要素を備えた熱媒介流体リザーバー
２２１          テーブル上部
２２２          層状の空気伝導スリーブ
２２３          流体循環ポンプ
４００          プラットホーム
４０２          強固な表面
４０４          バルブ作動機構
４０６          リム
４０８          プッシュポイント
４１０          チェックバルブ
４１２          ケーブル
４１４          レバー／ピボット
４１６          ホイール／ローラー
４１８          ロッド
４２０          引張ばね
４２２          ピストン
５００          機構
５０２          管（複数）
５０４          管
５０５          ブラッダー
５０７          プッシュプレート
６００          機構
６０２          ロッド
６０４          ホイール／ローラー
６０６          ばね
６０８          ゴム製ヘッド
７００          ピボット縁
８００          キャップ
８０２          ロックナット
８０４          ばね
８０６          ロッド
８０８          ホイール
８１０          シール
８１２          レバー
８１４          ピボット
８１６          ピン
８１８          調節装置
８２０          ワッシャー
８２２          刻み目
【手続補正２０】
【補正対象書類名】特許請求の範囲
【補正対象項目名】全文
【補正方法】変更
【補正の内容】
【特許請求の範囲】
【請求項１】
その入口から出口までの第１流体の流れのために配置された第１導管と、
その入口から出口までの第２流体の流れのために配置された第２導管であって、一連の概して平行または同様に配向／成形された区間を含む主な割合の前記第２導管は、前記第２導管を通じるヘビ状または回旋状の第２流路を提供し、前記第１導管中の流体と前記第２導管中の流体との間の伝熱のための熱伝導性がある、第２導管と、
前記第２導管の配列方向を実質的に横切り／斜めである、前記第１導管を通じる流れのための流路と、を備え、
前記第１導管および第２導管は、全体的に逆流熱交換のために配置され、
前記第１導管は、前記第１導管に沿って延び、かつその入口と出口との間に位置する少なくとも１つの内部壁を有する通路を備え、
前記通路は、前記第１導管を通って流れる流体の流前線を側方に横切る概して均一な厚さを有する層を有する、前記通路を通じる第１流体の層の流れのために形成される、熱交換器であって、
前記第１導管内の流体と接触するように配置される前記第１導管および第２導管の表面は、
第２導管区間のうち１つまたは全てを横切る前記第１導管を通じる流路に沿って移動する際、前記第１導管を通じる層の流れのための利用可能な全開口領域の高さが、前記流れの利用可能な開口領域の横断面積における実質的な変化を軽減するために、前記流れの利用可能な開口領域の幅に概して反比例し、かつ、
前記横断面積が、全周辺長における実質的な変化を軽減するために、前記開口領域の全周辺長に比例する、
ように形成および成形されること、
を特徴とする、熱交換器。
【請求項２】
前記横断面積が、第１流体上で全体の流体力学的抗力を等化しかつ概して減らすように、温度勾配に関連する流体粘度の変動の埋め合わせに前記第１導管により上流を通過される熱交換第２導管の長さに比例する、請求項１に記載の熱交換器。
【請求項３】
前記第２導管は、前記第１導管を通じる流路が前記層の間を通って前記導管区間を実質的に横断するように、前記第１導管の内部に配置された隣接するかまたは重なる層として配置される、前記第２導管を通じるヘビ状または回旋状の第２流路をそれぞれ提供する複数の第２導管区間を含む、請求項１および２の何れか一項に記載の熱交換器。
【請求項４】
熱伝導性導管区間の上表面と下表面との間の第１流体の釣り合った分配／分割を行うために、前記導管区間の外側表面を取り囲む流体の厚さの局所的な変動を減らすかまたは相殺するように配置された、前記第２導管の第１流閉じ込め表面の実質的な一部分に隣接し、前記一部分から離間され、かつ前記一部分と形状が一致する、前記第１導管の内部壁内の構造を含む、請求項１〜３の何れか一項に記載の熱交換器。
【請求項５】
前記第１導管は、少なくとも前記第２導管の一部分に隣接し、前記一部分から離間され、かつ前記一部分と整列して延びる、１つ以上の凹形構造、チャネルまたは溝を含む概して連続的な内部壁を有する、請求項１〜４の何れか一項に記載の熱交換器。
【請求項６】
前記第２導管は、
（ａ）菱形と、
（ｂ）楕円形と、
（ｃ）魚鱗形、すなわち、その周辺の大部分の周りに広がる第１の凸形円形部分を有し、それが２つの対称な凸形部分に溶け込み、前記凸形部分が１点で出会う形と、
（ｄ）円形と、
（ｅ）（ａ）〜（ｃ）のうち１つ以上の混成形、細長形または変形と、
から成る群から選択される横断面を有するその少なくとも一部分を含む、請求項１〜５の何れか一項に記載の熱交換器。
【請求項７】
実質的に固定された幅の実質的に長方形の第１導管を有する、請求項１〜６の何れか一項に記載の熱交換器。
【請求項８】
前記第１流体の流前線と概して整列して横切って延びる、１つ以上の流れ調整オーバーフローリム／アンダーフローリム、堰、フィルターまたは穿孔した／はざまを設けられた表面を有する、概して水平に配置された前記第１導管を備える位置のために配置された前記第１導管を有する位置のための、請求項１〜７の何れか一項に記載の熱交換器。
【請求項９】
前記第２導管を支持するために、前記第１導管の内部に、隆起または突起または床張り板から成る群から選択される少なくとも１つの支持部材を含む、請求項１〜８の何れか一項に記載の熱交換器。
【請求項１０】
前記第２導管は、端部ブロックに挿入されたその端部を有する一連の導管区間を備える、請求項１〜９の何れか一項に記載の熱交換器。
【請求項１１】
基部または容器構成要素および蓋である、主に少なくとも２つの構成要素のプラスチックケーシングである装置を備え、前記第１導管および前記第２導管は前記構成要素間に囲まれ、手動の組み立ておよび分解を可能にする、請求項１〜１０の何れか一項に記載の熱交換器。
【請求項１２】
シャワーヘッドに供給することができるような新鮮な水と、前記シャワーヘッドから流出することができるような廃水との間の熱交換のために配置され、
前記熱交換器は、その水平寸法よりも小さい垂直寸法を有し、
前記第１導管は、前記第１導管を通じる単一通過の重力下の廃水の流れのために配置され、
前記第２導管は、前記第２導管を通じる新鮮な水の流れのために配置され、かつ、前記第１導管中の廃水の中に沈められるように配置され、
オーバーフロー出口は、前記第２導管よりも高くかつ下流にある位置にて前記第１導管中に提供され、前記第１導管への入口は、より大きい圧力水頭を有するようにオーバーフローの高さよりも上に配置される、請求項１〜１１の何れか一項に記載の熱交換器。
【請求項１３】
前記第１導管は、固体粒子および沈殿物の沈殿が促進される最小局所流速を可能にする、後続の導管における即時の急激な方向変化を伴うより広範な区間の中で突然に開く、請求項１〜１２の何れか一項に記載の熱交換器。
【請求項１４】
シャワートレー、および請求項１〜１３の何れか一項に記載の熱交換器を含むシャワーシステムであって、前記第２導管は前記システムのシャワーヘッドに供給するための流れを提供するためのものであり、前記第１導管は前記システムのシャワートレーの下流にある、シャワーシステム。
【請求項１５】
シャワーボウル／シャワーパン／シャワートレーから成る群から選択される排水表面、および、１つ以上の側面上の周辺の中心または近くに配置された前記排水表面における排水側溝、溝または開口部から第１流体を受容するための広範に伸長した入口開口部を有する、前記排水表面の下に位置する請求項１〜１３の何れか一項に記載の熱交換器を含む、シャワーシステム。
【手続補正２１】
【補正対象書類名】図面
【補正対象項目名】図１
【補正方法】変更
【補正の内容】
【図１】
2011511920.tif 000001
【手続補正２２】
【補正対象書類名】図面
【補正対象項目名】図２
【補正方法】変更
【補正の内容】
【図２】
2011511920.tif 000002
【手続補正２３】
【補正対象書類名】図面
【補正対象項目名】図３
【補正方法】変更
【補正の内容】
【図３】
2011511920.tif 000003
【手続補正２４】
【補正対象書類名】図面
【補正対象項目名】図４
【補正方法】変更
【補正の内容】
【図４】
2011511920.tif 000004
【手続補正２５】
【補正対象書類名】図面
【補正対象項目名】図５
【補正方法】変更
【補正の内容】
【図５】
2011511920.tif 000005
【手続補正２６】
【補正対象書類名】図面
【補正対象項目名】図６
【補正方法】変更
【補正の内容】
【図６】
2011511920.tif 000006
【手続補正２７】
【補正対象書類名】図面
【補正対象項目名】図７
【補正方法】変更
【補正の内容】
【図７】
2011511920.tif 000007
【手続補正２８】
【補正対象書類名】図面
【補正対象項目名】図８
【補正方法】変更
【補正の内容】
【図８】
2011511920.tif 000008
【手続補正２９】
【補正対象書類名】図面
【補正対象項目名】図９
【補正方法】変更
【補正の内容】
【図９】
2011511920.tif 000009
【手続補正３０】
【補正対象書類名】図面
【補正対象項目名】図１０
【補正方法】変更
【補正の内容】
【図１０】
2011511920.tif 000010
【手続補正３１】
【補正対象書類名】図面
【補正対象項目名】図１１
【補正方法】変更
【補正の内容】
【図１１】
2011511920.tif 000011
【手続補正３２】
【補正対象書類名】図面
【補正対象項目名】図１２
【補正方法】変更
【補正の内容】
【図１２】
2011511920.tif 000012
【手続補正３３】
【補正対象書類名】図面
【補正対象項目名】図１３
【補正方法】変更
【補正の内容】
【図１３】
2011511920.tif 000013
【手続補正３４】
【補正対象書類名】図面
【補正対象項目名】図１４
【補正方法】変更
【補正の内容】
【図１４】
2011511920.tif 000014
【手続補正３５】
【補正対象書類名】図面
【補正対象項目名】図１７
【補正方法】変更
【補正の内容】
【図１７】
2011511920.tif 000015
【手続補正３６】
【補正対象書類名】図面
【補正対象項目名】図１９
【補正方法】変更
【補正の内容】
【図１９】
2011511920.tif 000016
【手続補正３７】
【補正対象書類名】図面
【補正対象項目名】図２０
【補正方法】変更
【補正の内容】
【図２０】
2011511920.tif 000017